(57)【要約】      （修正有）【課題】設置寸法が小型であり、安価であり、製品に異物の混入がなく製品化できるかつお節スライサーを提供する。【解決手段】かつお節２を収容する受箱は平面視で下方中央部に収容部１ａを形成し、上方外周部に移送通路１ｂを形成し、収容部と移送通路を螺旋傾斜状に連接している振動フイーダ１からなり、該振動フイーダの回転振動作動によって振動フイーダ内のかつお節２が順次収容部から移送通路に整列して移動し、先端のかつお節がストックシュート３に投入されるように形成する。さらに、上記振動フイーダはストックシュート内にかつお節が存在しているか、不存在かを検知器４ｂによって検知して、存在している状態では停止状態となり、不存在の状態では作動状態になってかつお節をストックシュートに移動するように構成する。【選択図】図２
0003181400.tif 000002
【実用新案登録請求の範囲】
【請求項１】
所定本数のかつお節を収容する受箱と、その受箱に連設している開閉シャッター付のストックシュートと、そのストックシュートに連設しているホッパーと、そのホッパーに連設している切削刃と、その切削刃に連設している製品排出シュートとを備えており、受箱内のかつお節がストックシュートに移動して開閉シャッターの閉状態でストックシュート内に保持されており、開閉シャッターの開状態で上記かつお節がホッパー内に移動し、ホッパー内で該かつお節がホッパーの一方にとりつけているプレッシャーシリンダーなどの押圧機構を介して押圧された状態で切削刃によってスライス状に切削され、製品排出シュートに落下する構成を有しており、さらに上記開閉シャッターはホッパー内にかつお節が存在していることを検知器によって検知して閉状態を維持し、あるいはホッパー内にかつお節が不存在の状態を検知器によって検知して開閉シャッターが開状態になり、かつお節をホッパー内に移動すると同時に開閉シャッターが閉状態となりストックシュートに次のかつお節が保持される構成を有しているかつお節スライサーにおいて、上記かつお節を収容する受箱は平面視で下方中央部に収容部を形成し、上方外周部に移送通路を形成し、収容部と移送通路を螺旋傾斜状に連接している振動フイーダからなり、該振動フイーダの回転振動作動によって振動フイーダ内のかつお節が順次収容部から移送通路に整列して移動し、先端のかつお節がストックシュートに投入されるように形成されており、かつ上記振動フイーダはストックシュート内にかつお節が存在しているか、不存在かを検知器によって検知して、存在している状態では停止状態となり、不存在の状態では作動状態になってかつお節をストックシュートに移動するように構成されていることを特徴とするかつお節スライサー。
【考案の詳細な説明】
【技術分野】
【０００１】本考案はかつお節スライサーに関する。
【背景技術】
【０００２】かつお節スライサーは公知である。本考案はかつお節スライサーの改良に関する。
【考案の概要】
【考案が解決しようとする課題】
【０００３】従来かつお節スライサーは以下の構成を有している。
所定本数のかつお節を収容する受箱と、該受箱のかつお節を運搬するチエーンベルトコンベヤー運搬装置と、該運搬装置に連設している開閉シャッター付のストックシュートと、そのストックシュートに連設しているホッパーと、そのホッパーに連設している切削刃と、その切削刃に連設している製品排出シュートとを備えており、受箱内のかつお節が上記運搬装置を介してストックシュートに移動して開閉シャッターの閉状態でストックシュート内に保持されており、開閉シャッターの開状態で上記かつお節がホッパー内に移動し、ホッパー内で該かつお節がホッパーの一方にとりつけているプッシャーシリンダー等の押圧機構を介して押圧された状態で切削刃によってスライス状に切削され、製品排出シュートに落下する構成を有しており、さらに上記開閉シャッターはホッパー内にかつお節が存在していることを検知器によって検知して閉状態を維持し、あるいはホッパー内にかつお節が不存在の状態を検知器によって検知して開閉シャッターが開状態になり、かつお節をホッパー内に移動すると同時に開閉シャッターが閉状態となりストックシュートに次のかつお節が保持される構成を有しているかつお節スライサーである。【０００４】上記構成においては次のような欠点があった。
その１はチエーンベルトコンベヤー運搬装置は大型になり、設置寸法が大きくなり、高価であること。
その２はチエーンベルトコンベヤーに多数のかつお節の受皿をボルト止めしているので、部材、付属部品が多く、コスト高であること。
その３は使用中にボルトの外れ、ベルトの破損などにより、それら異物がストックシュート、ホッパーに入り、切削刃を傷つけたり、製品内に金属粉、その他異物が混入する恐れがあること。
本考案は上記の欠点を解消している。
【課題を解決するための手段】
【０００５】本考案はつぎの特徴を備えている。
その一は「所定本数のかつお節を収容する受箱と、その受箱に連設している開閉シャッター付のストックシュートと、そのストックシュートに連設しているホッパーと、そのホッパーに連設している切削刃と、その切削刃に連設している製品排出シュートとを備えており、受箱内のかつお節がストックシュートに移動して開閉シャッターの閉状態でストックシュート内に保持されており、開閉シャッターの開状態で上記かつお節がホッパー内に移動し、ホッパー内で該かつお節がホッパーの一方にとりつけているプレッシャーシリンダーなどの押圧機構を介して押圧された状態で切削刃によってスライス状に切削され、製品排出シュートに落下する構成を有しており、さらに上記開閉シャッターはホッパー内にかつお節が存在していることを検知器によって検知して閉状態を維持し、あるいはホッパー内にかつお節が不存在の状態を検知器によって検知して開閉シャッターが開状態になり、かつお節をホッパー内に移動すると同時に開閉シャッターが閉状態となりストックシュートに次のかつお節が保持される構成を有しているかつお節スライサーにおいて、上記かつお節を収容する受箱は平面視で下方中央部に収容部を形成し、上方外周部に移送通路を形成し、収容部と移送通路を螺旋傾斜状に連接している振動フイーダからなり、該振動フイーダの回転振動作動によって振動フイーダ内のかつお節が順次収容部から移送通路に整列して移動し、先端のかつお節がストックシュートに投入されるように形成されており、かつ上記振動フイーダはストックシュート内にかつお節が存在しているか、不存在かを検知器によって検知して、存在している状態では停止状態となり、不存在の状態では作動状態になってかつお節をストックシュートに移動するように構成されていることを特徴とするかつお節スライサー」である。
【考案の効果】
【０００６】本考案は従来の欠点を解消するために上記の、課題を解決するための手段の項、に開示している構成作用を有しており、ことに所定本数のかつお節を振動フイーダに収容しているので、振動フイーダの回転振動作動によって振動フイーダの収容部のかつお節が順次移送通路に整列して移動し、先端のかつお節がストックシュートにスムーズに投入される。
よって従来のチエーンベルトコンベヤー運搬装置に比べて小型であり、設置寸法を小さくでき、安価である。【０００７】さらに振動フイーダは従来のチエーンベルトコンベヤー運搬装置が必要としている部材、部品等を用いないので、ストックシュート、ホッパー内に異物の混入がなくなり、切削刃を傷つけたり、製品内に金属粉、その他異物が混入しない。
【図面の簡単な説明】
【０００８】
【図１】本考案かつお節スライサーの説明用略正面図
【図２】本考案かつお節スライサーの振動フイーダを主とした説明用平面図
【図３】図２の説明用正面図
【図４】切削刃の説明用側断面図
【考案を実施するための形態】
【０００９】本考案について実施例を図面を用いて説明する。
図１から図４において、１は振動フイーダ（受箱）で所定本数のかつお節２を収容している。振動フイーダは電磁振動フイーダである。
３は振動フイーダに連設している開閉シャッター付のストックシュートである。４は開閉シャッターである。４ａはシャッター開閉シリンダー、４ｂは検知器（光電管）である。
【００１０】５はホッパーで、ストックシュートに連設している。このホッパーに切削刃６が連設している。６ａは刃本体で、円盤６ｂに１０数枚とりつけている。６ｃは切削されたスライサーの送通口、６ｄはカバーである。
７は押圧機構でかつお節を切削刃６に押し当てる作用をしている。該押圧機構において７ａはプッシャーシリンダー、７ｂは押圧板、７ｃは検知器（センサー）である。８は製品排出シュートであり、切削刃に連設しており、切削されたスライサーを排出する。９は切削刃６の駆動モータである。
【００１１】上記振動フイーダは平面視で下方中央部に収容部１ａを形成し、上方外周部に移送通路１ｂを形成し、収容部と移送通路を螺旋傾斜状に連接している振動フイーダからなり、該振動フイーダの回転振動作動によって振動フイーダ内の収容部のかつお節が螺旋傾斜状に連接している移送通路に順次整列して移動し、先端のかつお節がストックシュートに投入されるように形成されている。１ｃは振動駆動源である。
【００１２】かつ上記振動フイーダはストックシュート内にかつお節が存在しているか、不存在かを光電管などの検知器によって検知して、存在している状態では停止状態となり、不存在の状態では作動状態になってかつお節をストックシュート移動するように構成されている。
【００１３】かつお節がストックシュートに移動して開閉シャッターの閉状態でストックシュート内に保持されており、開閉シャッターの開状態で上記かつお節がホッパー内に移動し、ホッパー内でホッパーの一方に連設している切削刃によってスライス状に切削され、製品排出シュートに落下する構成を有している。
【００１４】  さらに上記開閉シャッターはホッパー内にかつお節が存在していることを検知器によって検知して閉状態を維持し、あるいはホッパー内にかつお節が不存在の状態を検知器によって検知して開閉シャッターが開状態になり、かつお節をホッパー内に移動すると同時に開閉シャッターが閉状態となりストックシュートに次のかつお節が保持される構成を有している。
【００１５】以上本考案の実施例について説明しているが本考案の技術思想を逸脱しない範囲の設計変更は可能である。
【符号の説明】
【００１６】１      振動フイーダ（受箱）
１ａ    収容部
１ｂ    移送通路
２      かつお節
３      ストックシュート
４      開閉シャッター
４ａ    シャッター開閉シリンダー
４ｂ    検知器
５      ホッパー
６      切削刃
７      押圧機構
７ａ    プッシャーシリンダー
７ｂ    押圧板
７ｃ    検知器
８      製品排出シュート
９      駆動モータ
【図１】
0003181400.tif 000003
【図２】
0003181400.tif 000004
【図３】
0003181400.tif 000005
【図４】
0003181400.tif 000006